(57)【要約】【課題】    簡易に測定することができる測定定規を提供する。【解決手段】    測定定規Ａは、第１の辺１ａ、第２の辺１ｂ、第３の辺１ｃ、第４の辺１ｄを有する略四角形の板状の定規本体１と、第１の辺１ａに沿うように設けられ、長さを測る目盛り部１０と、定規本体１に設けられ、第２の辺１ｂに対して直交すると共に、外方に向かって開口し、刃の厚さを測るための複数の刃厚スリット孔１１と、定規本体１に設けられ、第３の辺１ｃに対して直交すると共に、外方に向かって開口し、刃の幅を測るための複数の刃幅スリット孔１２とを備えているものである。【選択図】    図１
0003111916.tif 000002
【実用新案登録請求の範囲】
【請求項１】
第１の辺、第２の辺、第３の辺、第４の辺を有する略四角形の板状の定規本体と、
前記第１の辺に沿うように設けられ、長さを測る目盛り部と、
前記定規本体に設けられ、前記第２の辺に対して直交すると共に、外方に向かって開口し、刃の厚さを測るための複数の刃厚スリット孔と、
前記定規本体に設けられ、前記第３の辺に対して直交すると共に、外方に向かって開口し、刃の幅を測るための複数の刃幅スリット孔と、
を備えていることを特徴とする測定定規。
【請求項２】
第１の辺、第２の辺、第３の辺、第４の辺を有する略四角形の板状の定規本体と、
前記第１の辺に沿うように設けられ、長さを測る目盛り部と、
前記定規本体に設けられ、前記第２の辺に対して直交すると共に、外方に向かって開口し、刃の厚さを測るための複数の刃厚スリット孔と、
前記定規本体に設けられ、前記第３の辺に対して直交すると共に、外方に向かって開口し、刃の幅を測るための複数の刃幅スリット孔と、
前記定規本体を貫通し、ドリルの直径を測るためのドリル孔と、
前記定規本体の一面に設けられ、少なくとも、携帯禁止刃物の刃体、刃幅及び刃厚の数値を表示する携帯禁止刃物第１の表示部と、
前記定規本体の一面の裏面側に設けられ、少なくとも、携帯禁止ドライバ  ーの長さ、携帯禁止ドライバーの先幅、携帯禁止バールの長さ、携帯禁止バールの先幅の数値及びドリルの直径の数値を表示する携帯禁止刃物第２の表示部とを備え、
前記複数の刃厚スリット孔の刃厚寸法は、前記携帯禁止刃物第１の表示部に表示された複数の刃厚寸法に、対応して複数形成され、
前記複数の刃幅スリット孔の幅寸法は、前記携帯禁止刃物第１の表示部に表示された複数の刃幅寸法に、対応して複数形成され、
前記ドリル孔の直径寸法は、前記携帯禁止刃物第２の表示部に表示されたドリルの直径寸法に、対応して形成されている
ことを特徴とする禁止刃物測定定規。
【請求項３】
第１の辺、第２の辺、第３の辺、第４の辺を有する略四角形の板状の定規本体と、
前記第１の辺に沿うように設けられ、長さを測る目盛り部と、
前記定規本体に設けられ、前記第２の辺に対して直交すると共に、外方に向かって開口し、刃の厚さを測るための複数の刃厚スリット孔と、
前記定規本体に設けられ、前記第２の辺に対して直交すると共に、外方に向かって開口し、ドライバーの先幅を測るためのドライバースリット孔と、
前記定規本体に設けられ、前記第３の辺に対して直交すると共に、外方に向かって開口し、刃の幅とバールの先幅を測るための複数の刃幅スリット孔と、
前記定規本体を貫通し、ドリルの直径を測るためのドリル孔と、
前記定規本体の一面に設けられ、少なくとも、携帯禁止刃物の刃体、刃幅及び刃厚の数値を表示する携帯禁止刃物第１の表示部と、
前記定規本体の一面の裏面側に設けられ、少なくとも、携帯禁止ドライバ  ーの長さ、携帯禁止ドライバーの先幅、携帯禁止バールの長さ、携帯禁止バールの先幅の数値及びドリルの直径の数値を表示する携帯禁止刃物第２の表示部とを備え、
前記複数の刃厚スリット孔の刃厚寸法は、前記携帯禁止刃物第１の表示部に表示された複数の刃厚寸法に、対応して複数形成され、
前記ドライバースリット孔の幅寸法は、前記携帯禁止刃物第２の表示部に表示された先幅寸法に、対応して形成され、
前記複数の刃幅スリット孔の幅寸法は、前記携帯禁止刃物第１の表示部に表示された複数の刃幅寸法に、対応して複数形成されると共に、前記携帯禁止刃物第２の表示部に表示されたバールの先幅寸法に、対応して形成され、
前記ドリル孔の直径寸法は、前記携帯禁止刃物第２の表示部に表示されたドリルの直径寸法に、対応して形成されている
ことを特徴とする禁止刃物測定定規。
【考案の詳細な説明】
【技術分野】
【０００１】
本考案は、測定定規及び禁止刃物測定定規に係り、特に、簡易に測定することができる測定定規及び禁止刃物測定定規に関する。
【背景技術】
【０００２】
従来、例えば、警察官が職務質問等の現場で、携帯・所持禁止刃物、指定侵入工具に該当するかを簡易に判定するものがなく、
特に、携帯・所持禁止刃物、指定侵入工具の種類が多いこと、
種類が分かっても携帯・所持の法律上の規定を正確に覚えていること          が難しいこと、
種類と携帯・所持の規定がわかっても判定する器具がないこと、
等により、容易に判別できないという問題点があった。
【考案の開示】
【考案が解決しようとする課題】
【０００３】
本考案は、前記した問題点を除去するようにした測定定規及び禁止刃物測定定規を提供することを目的としている。
【課題を解決するための手段】
【０００４】
前記した目的を達成するための請求項１記載の測定定規は、第１の辺、第２の辺、第３の辺、第４の辺を有する略四角形の板状の定規本体と、前記第１の辺に沿うように設けられ、長さを測る目盛り部と、前記定規本体に設けられ、前記第２の辺に対して直交すると共に、外方に向かって開口し、刃の厚さを測るための複数の刃厚スリット孔と、前記定規本体に設けられ、前記第３の辺に対して直交すると共に、外方に向かって開口し、刃の幅を測るための複数の刃幅スリット孔とを備えているものである。
【０００５】
また、請求項２記載の禁止刃物測定定規は、第１の辺、第２の辺、第３の辺、第４の辺を有する略四角形の板状の定規本体と、前記第１の辺に沿うように設けられ、長さを測る目盛り部と、前記定規本体に設けられ、前記第２の辺に対して直交すると共に、外方に向かって開口し、刃の厚さを測るための複数の刃厚スリット孔と、前記定規本体に設けられ、前記第３の辺に対して直交すると共に、外方に向かって開口し、刃の幅を測るための複数の刃幅スリット孔と、前記定規本体を貫通し、ドリルの直径を測るためのドリル孔と、前記定規本体の一面に設けられ、少なくとも、携帯禁止刃物の刃体、刃幅及び刃厚の数値を表示する携帯禁止刃物第１の表示部と、前記定規本体の一面の裏面側に設けられ、少なくとも、携帯禁止ドライバ  ーの長さ、携帯禁止ドライバーの先幅、携帯禁止バールの長さ、携帯禁止バールの先幅の数値及びドリルの直径の数値を表示する携帯禁止刃物第２の表示部とを備え、前記複数の刃厚スリット孔の刃厚寸法は、前記携帯禁止刃物第１の表示部に表示された複数の刃厚寸法に、対応して複数形成され、前記複数の刃幅スリット孔の幅寸法は、前記携帯禁止刃物第１の表示部に表示された複数の刃幅寸法に、対応して複数形成され、前記ドリル孔の直径寸法は、前記携帯禁止刃物第２の表示部に表示されたドリルの直径寸法に、対応して形成されているものである。
【０００６】
また、請求項３記載の禁止刃物測定定規は、第１の辺、第２の辺、第３の辺、第４の辺を有する略四角形の板状の定規本体と、前記第１の辺に沿うように設けられ、長さを測る目盛り部と、前記定規本体に設けられ、前記第２の辺に対して直交すると共に、外方に向かって開口し、刃の厚さを測るための複数の刃厚スリット孔と、前記定規本体に設けられ、前記第２の辺に対して直交すると共に、外方に向かって開口し、ドライバーの先幅を測るためのドライバースリット孔と、前記定規本体に設けられ、前記第３の辺に対して直交すると共に、外方に向かって開口し、刃の幅とバールの先幅を測るための複数の刃幅スリット孔と、前記定規本体を貫通し、ドリルの直径を測るためのドリル孔と、前記定規本体の一面に設けられ、少なくとも、携帯禁止刃物の刃体、刃幅及び刃厚の数値を表示する携帯禁止刃物第１の表示部と、前記定規本体の一面の裏面側に設けられ、少なくとも、携帯禁止ドライバ  ーの長さ、携帯禁止ドライバーの先幅、携帯禁止バールの長さ、携帯禁止バールの先幅の数値及びドリルの直径の数値を表示する携帯禁止刃物第２の表示部とを備え、前記複数の刃厚スリット孔の刃厚寸法は、前記携帯禁止刃物第１の表示部に表示された複数の刃厚寸法に、対応して複数形成され  、前記ドライバースリット孔の幅寸法は、前記携帯禁止刃物第２の表示部に表示された先幅寸法に、対応して形成され、前記複数の刃幅スリット孔の幅寸法は  、前記携帯禁止刃物第１の表示部に表示された複数の刃幅寸法に、対応して複数形成されると共に、前記携帯禁止刃物第２の表示部に表示されたバールの先幅寸法に、対応して形成され、前記ドリル孔の直径寸法は、前記携帯禁止刃物第２の表示部に表示されたドリルの直径寸法に、対応して形成されているものである  。
【考案の効果】
【０００７】
請求項１記載の測定定規によれば、例えば、刃物の長さ、幅及び厚さを測定する場合、刃物の長さは、目盛り部を使って測定し、測定する刃の幅は複数の刃幅スリット孔に挿入できるか否かにより、また、測定する刃の厚さは複数の刃厚スリット孔に挿入できるか否かにより、目盛り部を使用しなくても、簡易に測定することができる。
【０００８】
又、請求項２記載の禁止刃物測定定規によれば、例えば、刃物の長さ、幅及び厚さを測定する場合、刃物の長さは、目盛り部を使って測定し、測定する刃の幅は複数の刃幅スリット孔に挿入できるか否かにより、また、測定する刃の厚さは複数の刃厚スリット孔に挿入できるか否かにより、目盛り部を使用しなくても、測定し、禁止刃物に該当するか否かを携帯禁止刃物第１の表示部又は携帯禁止刃物第２の表示部を見ることにより簡易に判定することができる。
【０００９】
又、請求項３記載の禁止刃物測定定規によれば、例えば、刃物の長さ、幅及び厚さを測定する場合、刃物の長さは、目盛り部を使って測定し、測定する刃の幅は複数の刃幅スリット孔に挿入できるか否かにより、また、測定する刃の厚さは複数の刃厚スリット孔に挿入できるか否かにより、目盛り部を使用しなくても  、測定し、禁止刃物に該当するか否かを携帯禁止刃物第１の表示部又は携帯禁止刃物第２の表示部を見ることにより、
また、測定するドライバーの先幅はドライバースリット孔に挿入できるか否かにより、目盛り部を使用しなくても、測定し、禁止刃物に該当するか否かを携帯禁止刃物第２の表示部を見ることにより、
また、測定するバールの先幅は刃幅スリット孔に挿入できるか否かにより、目盛り部を使用しなくても、測定し、禁止刃物に該当するか否かを携帯禁止刃物第２の表示部を見ることにより、簡易に判定することができる。
【考案を実施するための最良の形態】
【００１０】
本考案の一実施例の禁止刃物測定定規を図面を参照して説明する。
図１乃至図９において、Ａは禁止刃物測定定規（又は測定定規）で、禁止刃物測定定規（又は測定定規）Ａは、例えば、刃物Ｃの刃幅、刃厚等を簡易に測定することができるもので、第１の辺１ａ、第２の辺１ｂ、第３の辺１ｃ、第４の辺１ｄを有する略四角形の板状の定規本体１を備えている。定規本体１は、具体的には、材質はＡＢＳ樹脂等耐久性の素材で、８ｃｍ×６ｃｍの略四角形の形状をしている。
【００１１】
１０は、第１の辺１ａに沿うように設けられ、長さを測る目盛り部で、例えば、最大８ｃｍまで測定できるようになっており、例えば、図４に示すように、刃物Ｃの長さを測ることができる。
【００１２】
１１は、定規本体１に設けられ、第２の辺１ｂに対して直交すると共に、外方に向かって開口し、刃Ｃの厚さを測るための複数の刃厚スリット孔で、例えば  、３個設けられ、刃厚スリット孔１１の幅は０．１５ｃｍ、０．２ｃｍ、０．２５ｃｍとなっており、例えば、図５に示すように、刃物Ｃの厚さを測ることができる。図６における刃物Ｃは、幅０．１５ｃｍの刃厚スリット孔１１には入らず、幅０．２ｃｍの刃厚スリット孔１１に入ることより、刃Ｃの厚さは、０．１５ｃｍより大で、０．２ｃｍより小であることを簡易に測定することができる。
また、１１’は、定規本体１に設けられ、第２の辺１ｂに対して直交すると共に、外方に向かって開口し、ドライバーＤＲの先幅を測るためのドライバースリット孔で、例えば、ドライバースリット孔１１’の幅は０．５ｃｍとなっている。  
【００１３】
１2は、定規本体１に設けられ、第３の辺１ｃに対して直交すると共に、外方に向かって開口し、刃Ｃの幅とバール（図示せず）の先幅を測るための複数の刃幅スリット孔で、例えば、２個設けられ、刃幅スリット孔１２の幅は２ｃｍ、１  ．５ｃｍとなっており、例えば、図６に示すように、刃物Ｃの幅を測ることができる。図６における刃物Ｃは、幅１．５ｃｍの刃幅スリット孔１２には入らず  、幅２ｃｍの刃幅スリット孔１２に入ることより、刃の幅は、１．５ｃｍより大で、２ｃｍより小であることを簡易に測定することができる。なお、図示しないバール（図示せず）の先幅の測定にあっては、上述した幅が２ｃｍである刃幅スリット孔１２を利用して行うことができる。
【００１４】
１３は、定規本体１を貫通し、ドリルＤの直径を測るためのドリル孔で、例えば、１個設けられ、ドリル孔１３の直径は１ｃｍとなっており、例えば、図７に示すように、ドリルＤの直径を測ることができる。図７におけるドリルＤは、ドリル孔１３には入らないことより、ドリルＤの直径は、１ｃｍより大であることを簡易に測定することができる。
【００１５】
１４は、定規本体１に設けられ、第２の辺１ｂに対して直交すると共に、外方に向かって開口し、ドライバーＤＲの先幅を測るための先幅スリット孔で、例えば、１個設けられ、先幅スリット孔１４の幅は０．５ｃｍとなっており、例えば、図８に示すように、ドライバーＤＲの先幅を測ることができる。図８におけるドライバーＤＲは、０．５ｃｍの先幅スリット孔１４には入ることより、ドライバーＤＲの先幅は、０．５ｃｍより小であることを簡易に測定することができる。
【００１６】
２０は、定規本体１の一面に設けられ、少なくとも、携帯禁止刃物の刃体、刃幅及び刃厚の数値を表示する携帯禁止刃物第１の表示部で、携帯禁止刃物第１の表示部２０には、図２に示すように、はさみ、折りたたみナイフ、果物ナイフ  、切り出し、その他の刃物毎の刃体、刃物、刃厚の数値が記載されている。
３０は、定規本体１の一面の裏面側に設けられ、少なくとも、携帯禁止ドライバーの長さ、携帯禁止ドライバーの先幅、携帯禁止バールの長さ、携帯禁止バールの先幅の数値及びドリルの直径の数値を表示する携帯禁止刃物第２の表示部
である。
なお、上述した複数の刃厚スリット孔１１、１１、１１の幅寸法は、携帯禁止刃物第１の表示部２０に表示された複数の刃幅寸法０．１５ｃｍ、０．２ｃｍ  、０．２５ｃｍに、対応して複数形成されている。
また、複数の刃幅スリット孔１２、１２の幅寸法は、携帯禁止刃物第１の表示部２０に表示された複数の刃幅寸法２ｃｍ、１．５ｃｍに、対応して複数形成されている。
また、ドリル孔１３の直径寸法は、携帯禁止刃物第２の表示部３０に表示されたドリルＤの直径寸法１ｃｍに対応して形成されている。
【００１７】
従って、禁止刃物測定定規Ａは、図９に示すように、ポケットに入れて携帯し、使用するときにポケットより禁止刃物測定定規Ａを取り出し、例えば、刃物Ｃの長さ、厚さ及び幅を測定する場合、刃物Ｃの長さは、目盛り部１０を使って測定し、又は、禁止刃物測定定規Ａの長辺（８ｃｍ）・短辺（６ｃｍ）の長さと比較することによって測定し、更に、測定する刃Ｃの厚さは複数の刃厚スリット孔１１に挿入できるか否かにより、測定する刃Ｃの幅は複数の刃幅スリット孔１２に挿入できるか否かにより、目盛り部１０を使用しなくても、測定し、禁止刃物に該当するか否かを携帯禁止刃物第１の表示部２０及び携帯禁止刃物第２の表示部３０を見ることにより、また、測定するドライバーＤＲの先幅はドライバースリット孔１１’に挿入できるか否かにより、目盛り部１０を使用しなくても、測定し、禁止刃物に該当するか否かを携帯禁止刃物第２の表示部３０を見ることにより、
また、測定するバール（図示せず）の先幅は刃幅スリット孔１２に挿入できるか否かにより、目盛り部１０を使用しなくても、測定し、禁止刃物に該当するか否かを携帯禁止刃物第２の表示部３０を見ることにより、簡易に判定することができる。
【００１８】
なお、上述した実施例にあっては、禁止刃物測定定規Ａに適用した例を示したが、本考案にあっては、これに限らず、一般的な測定定規にも同様に、適用できるものである。該測定定規は、第１の辺１ａ、第２の辺１ｂ、第３の辺１ｃ、第４の辺１ｄを有する略四角形の板状の定規本体１と、第１の辺１ａに沿うように設けられ、長さを測る目盛り部１０と、定規本体１に設けられ、第２の辺１ｂに対して直交すると共に、外方に向かって開口し、刃の厚さを測るための複数の刃厚スリット孔１１と、定規本体１に設けられ、第３の辺１ｃに対して直交すると共に、外方に向かって開口し、刃の幅を測るための複数の刃幅スリット孔１２とを備えている。
【００１９】
この測定定規によれば、例えば、刃物Ｃの長さ、厚さ及び幅を測定する場合  、刃物Ｃの長さは、目盛り部１０を使って測定し、又は、測定定規Ａの長辺（８ｃｍ）・短辺（６ｃｍ）の長さと比較することによって測定し、また、測定する刃Ｃの厚さは複数の刃厚スリット孔１１に挿入できるか否かにより、目盛り部１０を使用しなくても、更に、測定する刃Ｃの幅は複数の刃幅スリット孔１２に挿入できるか否かにより、簡易に測定することができる。
【図面の簡単な説明】
【００２０】
【図１】図１は、本考案の一実施例である禁止刃物測定定規（又は測定定規）の概略的斜視図である。
【図２】図２は、図１の禁止刃物測定定規（又は測定定規）の概略的平面図である。
【図３】図３は、図２の禁止刃物測定定規（又は測定定規）を反転した場合の概略的
【図４】図４は、図１の禁止刃物測定定規（又は測定定規）の一使用例を示すもので刃の長さを測定する状態の概略的斜視図である。
【図５】図５は、図１の禁止刃物測定定規（又は測定定規）の一使用例を示すもので刃の厚さを測定する状態の概略的斜視図である。
【図６】図６は、図１の禁止刃物測定定規（又は測定定規）の一使用例を示すもので刃の幅を測定する状態の概略的斜視図である。
【図７】図７は、図１の禁止刃物測定定規（又は測定定規）の一使用例を示すものでドリルの直径を測定する状態の概略的斜視図である。
【図８】図８は、図１の禁止刃物測定定規（又は測定定規）の一使用例を示すものでドライバーの先幅を測定する状態の概略的斜視図である。
【図９】図９は、図１の禁止刃物測定定規（又は測定定規）の携帯状態を示す概略的斜視図である。
【符号の説明】
【００２１】
Ａ  …測定定規（禁止刃物測定定規）
１  …定規本体
１ａ…第１の辺
１ｂ…第２の辺
１ｃ…第３の辺
１ｄ…第４の辺
１０…目盛り部
１１… 刃厚スリット孔
１２… 刃幅スリット孔
【図１】
0003111916.tif 000003
【図２】
0003111916.tif 000004
【図３】
0003111916.tif 000005
【図４】
0003111916.tif 000006
【図５】
0003111916.tif 000007
【図６】
0003111916.tif 000008
【図７】
0003111916.tif 000009
【図８】
0003111916.tif 000010
【図９】
0003111916.tif 000011